(57)【要約】【課題】頭部装着型表示装置が有する部材が曇ることを防止する技術を提供する。【解決手段】本発明は、ユーザの頭部に装着される頭部装着型表示装置であって、ユーザの視野に配置される透過型の表示パネルと、表示パネルに表示される映像信号を処理する処理部と、処理部を冷却する気流を生成する冷却ファンと、冷却ファンにより生成される気流を表示パネルの表面沿いに案内する透明なパネル収容部と、を備える、頭部装着型表示装置である。【選択図】図１
2020191500.tif 000002
【特許請求の範囲】
【請求項１】
ユーザの頭部に装着される頭部装着型表示装置であって、
ユーザの視野に配置される透過型の表示パネルと、
前記表示パネルに表示される映像信号を処理する処理部と、
前記処理部を冷却する気流を生成する冷却ファンと、
前記冷却ファンにより生成される気流を前記表示パネルの表面沿いに案内する透明なパネル収容部と、を備える、
頭部装着型表示装置。
【請求項２】
前記パネル収容部の外表面が配置される空間の雰囲気温度を測定する温度センサを更に備え、
前記温度センサにより測定される雰囲気温度の変化率に応じて、前記冷却ファンは気流の生成量を調節する、
請求項１に記載の頭部装着型表示装置。
【請求項３】
前記処理部が配置される空間の雰囲気湿度を測定する湿度センサを更に備え、
前記湿度センサにより測定される雰囲気湿度の変化率に応じて、前記冷却ファンは気流の生成量を調節する、
請求項１又は２に記載の頭部装着型表示装置。
【請求項４】
前記冷却ファンにより生成され、前記パネル収容部により前記表示パネルの表面沿いに案内される気流は、
ユーザの目と対面するように配置される前記表示パネルと、前記ユーザの目から見て前記表示パネルの手前側に配置される前記パネル収容部の内表面と、の間に形成され、前記冷却ファンが配置される場所と連通する第一通気路と、
前記表示パネルと、前記ユーザの目から見て前記表示パネルの奥側に配置される前記パネル収容部の内表面と、の間に形成され、前記冷却ファンが配置される場所と連通する第二通気路と、を通過する、
請求項１から３のうち何れか一項に記載の頭部装着型表示装置。
【請求項５】
前記第一通気路は、前記冷却ファンの空気の吸込み面あるいは吹出し面と連通し、
前記第二通気路は、前記第一通気路が連通する前記冷却ファンの吸込み面あるいは吹出し面と連通する、
請求項４に記載の頭部装着型表示装置。
【請求項６】
前記第一通気路は、前記冷却ファンの空気の吸込み面あるいは吹出し面と連通し、
前記第二通気路は、前記第一通気路が連通する前記冷却ファンの吸込み面あるいは吹出し面とは異なる前記冷却ファンの吸込み面あるいは吹出し面と連通する、
請求項４に記載の頭部装着型表示装置。
【請求項７】
前記冷却ファンは、前記温度センサにより測定される雰囲気温度、又は前記湿度センサにより測定される雰囲気湿度に基づき、気流を生成する羽根の回転する方向を決定する、
請求項２から６のうち何れか一項に記載の頭部装着型表示装置。
【請求項８】
ユーザの目と、前記ユーザの目から見て前記ユーザの目と対面するように配置される前記表示パネルの手前側に配置される前記パネル収容部の外表面との間に形成される第三通気路と、前記冷却ファンが配置される場所と、を連通させる開口を更に備え、
前記冷却ファンにより生成される気流は、前記第三通気路を通過する、
請求項１から７のうち何れか一項に記載の頭部装着型表示装置。
【請求項９】
前記冷却ファンが設けられる空間と、前記表示パネルが設けられる空間とを仕切る仕切り部材を更に備え、
前記仕切り部材により仕切られる前記冷却ファンが設けられる空間は、前記開口を介して前記第三通気路と連通する、
請求項８に記載の頭部装着型表示装置。
【発明の詳細な説明】
【技術分野】
【０００１】
本発明は、頭部装着型表示装置に関する。
【背景技術】
【０００２】
ユーザの頭部に装着され、情報を表示する頭部装着型表示装置に関する技術が開示されている（例えば特許文献１−３）。
【先行技術文献】
【特許文献】
【０００３】
【特許文献１】特開平６−１７５０６６号公報
【特許文献２】特開平９−１５５２７号公報
【特許文献３】特開２０１７−２２６５７号公報
【発明の概要】
【発明が解決しようとする課題】
【０００４】
頭部装着型表示装置の一例として、情報を表示する表示パネルを収容し、表示パネルから発せられる光をユーザの目の方向へ透過させる透明なパネル収容部を有する装置が考えられる。このような頭部装着型表示装置の場合、当該頭部装着型表示装置を装着した状態で環境の急激な温湿度の変化が起こり、パネル収容部が曇る状況が考えられる。そして、パネル収容部の内表面が曇る場合は、ユーザは内表面を拭くことができないため、表示情報から発せられる光を視認できない状態が続く虞がある。
【０００５】
一つの側面では、本件は、頭部装着型表示装置が有する部材が曇ることを防止する技術を提供することを目的とする。
【課題を解決するための手段】
【０００６】
一つの態様では、頭部装着型表示装置は、ユーザの頭部に装着される頭部装着型表示装置であって、ユーザの視野に配置される透過型の表示パネルと、前記表示パネルに表示される映像信号を処理する処理部と、前記処理部を冷却する気流を生成する冷却ファンと、前記冷却ファンにより生成される気流を前記表示パネルの表面沿いに案内する透明なパネル収容部と、を備える。
【発明の効果】
【０００７】
上記の頭部装着型表示装置は、自装置が有する部材が曇ることを防止する技術を提供する。
【図面の簡単な説明】
【０００８】
【図１】図１は、本実施形態に係るＨＭＤの概要の一例を模式的に例示する。（Ａ）は、ＨＭＤの正面図の概要の一例である。（Ｂ）は、ＨＭＤの断面図の概要の一例を示している。
【図２】図２は、ファンの動作フローの一例を例示する。
【図３】図３は、ＨＭＤの内部の気流の流れの概要の一例を示している。（Ａ）は、ＨＭＤの正面図の概要の一例である。（Ｂ）は、ＨＭＤの断面図の概要の一例である。
【図４】図４は、ファンの動作フローの一例を例示する。
【図５】図５は、ＨＭＤの内部の気流の流れの概要の一例を示している。（Ａ）は、ＨＭＤの正面図の概要の一例である。（Ｂ）は、ＨＭＤの断面図の概要の一例を示している。
【図６】図６は、ファンの動作フローの一例を例示する。
【図７】図７は、ファンの動作フローの一例を例示する。
【図８】図８は、ＨＭＤの概要の一例を模式的に例示する。（Ａ）は、ＨＭＤの正面図の概要の一例である。（Ｂ）は、ＨＭＤの断面図の概要の一例を示している。
【図９】図９は、ＨＭＤの内部の気流の流れの概要の一例を示している。（Ａ）は、ＨＭＤの正面図の概要の一例である。（Ｂ）は、ＨＭＤの断面図の概要の一例を示している。
【図１０】図１０は、ＨＭＤの断面図の概要の一例を模式的に例示する。
【図１１】図１１は、ＨＭＤの断面図の概要の一例を模式的に例示する。
【図１２】図１２は、ＨＭＤの断面図の概要の一例を模式的に例示する。
【図１３】図１３は、ＨＭＤの断面図の概要の一例を模式的に例示する。
【発明を実施するための形態】
【０００９】
以下、本発明の実施形態について説明する。以下に示す実施形態は、本発明の実施形態の一例であり、本発明の技術的範囲を以下の態様に限定するものではない。
【００１０】
図１は、本実施形態に係るヘッドマウントディスプレイ（以下、ＨＭＤという）１の概要の一例を模式的に例示する。図１（Ａ）は、ＨＭＤ１の正面図の概要の一例である。また、図１（Ｂ）は、ＨＭＤ１の断面図の概要の一例を示している。図１に示されるように、ＨＭＤ１は、情報を表示する透過型液晶画面２Ａ、２Ｂを備える。透過型液晶画面２Ａ、２Ｂは、情報を表示すると共に、系外からの光も透過させることができる。ここで、ＨＭＤ１は、本発明の「頭部装着型表示装置」の一例である。
【００１１】
また、ＨＭＤ１は、グラス部３及び筐体４を備える。グラス部３は、光を透過させる材料から形成され、透過型液晶画面２Ａ、２Ｂを収容するように設けられる。また、グラス部３は、透過型液晶画面２Ａ、２Ｂの厚み方向に、透過型液晶画面２Ａ、２Ｂと所定の隙間を空けて設けられる。一方、筐体４は、グラス部３と連なり、ＨＭＤ１を形成する部品を収容する。ここで、グラス部３は、本発明の「パネル収容部」の一例である。また、透過型液晶画面２Ａ、２Ｂは、本発明の「表示パネル」の一例である。
【００１２】
また、ＨＭＤ１は、グラス部３及び筐体４と連なるつる３０を備える。つる３０がユーザの耳に引っ掛けられ、またグラス部３の下部がユーザの鼻に支持されることにより、透過型液晶画面２Ａ、２Ｂが夫々ユーザの両目と対面する位置に配置される。よって、ユーザは、透過型液晶画面２Ａ、２Ｂに表示される情報を見ることができる。また、透過型液晶画面２Ａ、２Ｂは、外部からの光も透過させるため、ユーザは外部の環境も視認することができる。
【００１３】
また、ＨＭＤ１は、基板５Ａ、５Ｂを備える。基板５Ａ、５Ｂは、夫々透過型液晶画面２Ａ、２Ｂが設けられる空間と同じ空間に配置される。また、ＨＭＤ１は、基板５Ａ、５Ｂの部品が実装される表面上に、基板実装部品６Ａ、６Ｂを夫々備える。基板実装部品６Ａ、６Ｂは、透過型液晶画面２Ａ、２Ｂに表示される映像信号を処理することを含む。また、ＨＭＤ１は、基板５Ａ、５Ｂ及び基板実装部品６Ａ、６Ｂの近傍を通過し、基板５Ａ、５Ｂ又は基板実装部品６Ａ、６Ｂが発する熱を冷却する気流を生成するファン７Ａ、７Ｂを備える。ファン７Ａ、７Ｂは、夫々基板実装部品６Ａ、６Ｂの上部かつ側方に位置する筐体４の内側面に設けられ、基板５Ａ、５Ｂの実装面と平行な方向に気流を生成する。ここで、基板５Ａ、５Ｂ、及び基板実装部品６Ａ、６Ｂは、本発明の「処理部」の一例である。また、ファン７Ａ、７Ｂは、本発明の「冷却ファン」の一例である。
【００１４】
また、ファン７Ａ、７Ｂは、夫々基板５Ａ、５Ｂの実装面と平行な方向の周りに回転する羽根８Ａ、８Ｂを備える。また、ファン７Ａは、基板５Ａの実装面と平行な方向に羽根
８Ａを挟むように設けられる開口９Ａ、９Ｂを備える。また、ファン７Ｂは、図示しないが、基板５Ｂの実装面と平行な方向に羽根８Ｂを挟むように設けられる開口９Ｃ、９Ｄを備える。
【００１５】
また、ＨＭＤ１は、ファン７Ａ、７Ｂの羽根８Ａ、８Ｂが回転し、気流が生成された場合に、外部から空気が流入もしくは流出する開口１０Ａ、１０Ｂを備える。開口１０Ａ、１０Ｂは、透過型液晶画面２Ａ、２Ｂの下部に位置するグラス部３に設けられる。また、ＨＭＤ１は、ファン７Ａ、７Ｂの羽根８Ａ、８Ｂが回転し、気流が生成された場合に、外部から空気が流入もしくは流出する開口１１Ａ、１１Ｂを備える。開口１１Ａ、１１Ｂは、ファン７Ａ、７Ｂの開口９Ｂ及び９Ｄと夫々連通するように、筐体４の内側面に開けられる。
【００１６】
また、ＨＭＤ１は、第一通気路１２Ａを備える。第一通気路１２Ａは、透過型液晶画面２Ａと、ユーザの目から見て透過型液晶画面２Ａの手前側に配置されるグラス部３の内表面１３Ａと、の間に形成される隙間を含む。また、第一通気路１２Ａは、ファン７Ａの開口９Ａと連通する。また、ＨＭＤ１は、第二通気路１４Ａを備える。第二通気路１４Ａは、透過型液晶画面２Ａと、ユーザの目から見て透過型液晶画面２Ａの奥側に配置されるグラス部３の内表面１５Ａと、の間に形成される隙間を含む。また、第二通気路１４Ａは、第一通気路１２Ａが連通するファン７Ａの開口９Ａと連通する。ここで、開口９Ａは、本発明の「冷却ファンの吸込み面」の一例である。
【００１７】
また、ＨＭＤ１は、図示しないが透過型液晶画面２Ｂが配置される空間に、第一通気路１２Ｂを備える。第一通気路１２Ｂは、透過型液晶画面２Ｂと、ユーザの目から見て透過型液晶画面２Ｂの手前側に配置されるグラス部３の内表面１３Ｂと、の間に形成される隙間を含む。また、第一通気路１２Ｂは、ファン７Ｂの開口９Ｃと連通する。また、ＨＭＤ１は、同様にして第二通気路１４Ｂを備える。第二通気路１４Ｂは、透過型液晶画面２Ｂと、ユーザの目から見て透過型液晶画面２Ｂの奥側に配置されるグラス部３の内表面１５Ｂと、の間に形成される隙間を含む。また、第二通気路１４Ｂは、第一通気路１２Ｂが連通するファン７Ｂの開口９Ｃと連通する。
【００１８】
また、ＨＭＤ１は、温湿度センサ１６Ａ、１６Ｂを備える。温湿度センサ１６Ａ、１６Ｂは、グラス部３及び筐体４によって覆われ、透過型液晶画面２Ａ、２Ｂが設けられる空間の所定の場所に夫々設置され、当該空間の温湿度を測定する。また、ＨＭＤ１は、温湿度センサ１７を備える。温湿度センサ１７は、筐体４の外側に設置され、外気の温湿度を測定する。ここで、温湿度センサ１６Ａ、１６Ｂは、本発明の「湿度センサ」の一例である。また、温湿度センサ１７は、本発明の「温度センサ」の一例である。
【００１９】
（ファン７Ａの動作例１）
次に、ＨＭＤ１のファン７Ａ、７Ｂの動作例を説明する。以下の動作例１−４は、ファン７Ａについての動作を例示するが、ファン７Ｂにおいても同様の動作フローが実行される。図２は、ファン７Ａの動作フローの一例を例示する。
【００２０】
ステップＳ１０１では、温湿度センサ１７により計測される温度が所定の変化率を超えて低下した温度か否かが判定される（Ｓ１０１）。そして、ステップＳ１０２では、温湿度センサ１７により計測される温度が所定の変化率を超えて低下した温度であると判定された場合、ファン７Ａが動作しているか否かが判定される（Ｓ１０２）。
【００２１】
そして、ステップＳ１０２においてファン７Ａが動作していると判定された場合、ステップＳ１０３において、ファン７Ａの羽根８Ａの回転速度を規定時間増大させる処理を実行する（Ｓ１０３）。一方、ステップＳ１０２においてファン７Ａが動作していないと判
定された場合、ステップＳ１０４において、ファン７Ａの羽根８Ａを所定の速度で回転させる（Ｓ１０４）。
【００２２】
図３は、上記のステップＳ１０３あるいはステップＳ１０４の処理が実行された場合の、ＨＭＤ１の内部の気流の流れの概要の一例を示している。図３（Ａ）は、ＨＭＤ１の正面図の概要の一例である。また、図３（Ｂ）は、ＨＭＤ１の断面図の概要の一例である。図３に示されるように、ファン７Ａの羽根８Ａが回転することにより、開口１１Ａから外気が吸込まれる。そして、吸込まれた外気は、さらにファン７Ａの開口９Ｂからファン７Ａの内部に吸込まれ、開口９Ａから吹出される。そして、外気は、基板５Ａに実装される基板実装部品６Ａの近傍に達する。そして、外気は、第一通気路１２Ａ及び第二通気路１４Ａへ送り込まれ、その後、開口１０Ａを介して外部へ排出される。
【００２３】
（ファン７Ａの動作例２）
また、ＨＭＤ１のファン７Ａの別の動作例を説明する。図４は、ファン７Ａの動作フローの一例を例示する。
【００２４】
ステップＳ１１１では、温湿度センサ１６Ａにより計測される湿度が所定の変化率を超えて上昇した湿度か否かが判定される（Ｓ１１１）。そして、温湿度センサ１６Ａにより計測される湿度が所定の変化率を超えて上昇した湿度と判定された場合、ファン７Ａが動作しているか否かが判定される（Ｓ１１２）。
【００２５】
そして、ステップＳ１１２においてファン７Ａが動作していると判定された場合、ステップＳ１１３において、ファン７Ａの羽根８Ａの回転速度を規定時間増大させる処理を実行する（Ｓ１１３）。一方、ステップＳ１１２においてファン７Ａが動作していないと判定された場合、ステップＳ１１４において、ファン７Ａの羽根８Ａを所定の速度で回転させる（Ｓ１１４）。
【００２６】
図５は、上記のステップＳ１１３あるいはステップＳ１１４の処理が実行された場合の、ＨＭＤ１の内部の気流の流れの概要の一例を示している。図５（Ａ）は、ＨＭＤ１の正面図の概要の一例である。また、図５（Ｂ）は、ＨＭＤ１の断面図の概要の一例を示している。図５に示されるように、ファン７Ａの羽根８Ａは、開口１０Ａから外気を吸い込むような方向に回転される。そして、吸込まれた外気は、第一通気路１２Ａ及び第二通気路１４Ａを通過し、基板５Ａに実装される基板実装部品６Ａの近傍に達する。そして、外気は、ファン７Ａの開口９Ａに吸込まれる。そして、基板５Ａ又は基板実装部品６Ａの近傍を通過した外気は、ファン７Ａの開口９Ｂから夫々吹き出され、さらに開口１１Ａを介して外部へ排出される。
【００２７】
（ファン７Ａ、７Ｂの動作例３）
また、ＨＭＤ１のファン７Ａの別の動作例を説明する。図６は、ファン７Ａの動作フローの一例を例示する。
【００２８】
図６に示される動作フローでは、図４に示される動作フローの前に、ステップＳ１０１の処理が実行される。つまり、ステップＳ１０１として、温湿度センサ１７により計測される温度が所定の変化率を超えて低下した温度か否かが判定される（Ｓ１０１）。そして、温湿度センサ１７により計測される温度が所定の変化率を超えて低下した温度と判定された場合、ステップＳ１１１からステップＳ１１４の処理が実行される（Ｓ１１１−Ｓ１１４）。また、図６に示されるステップＳ１１３あるいはステップＳ１１４においても、図５のような気流がファン７Ａによって生成される。
【００２９】
（ファン７Ａの動作例４）
また、ＨＭＤ１のファン７Ａの別の動作例を説明する。図７は、ファン７Ａの動作フローの一例を例示する。
【００３０】
図７に示される動作フローでは、ステップＳ１０１として、温湿度センサ１７により計測される温度が所定の変化率を超えて低下した温度か否かが判定される（Ｓ１０１）。そして、温湿度センサ１７により計測される温度が所定の変化率を超えて低下した温度と判定された場合、ステップＳ１１１として、温湿度センサ１６Ａにより計測される湿度が所定の変化率を超えて上昇した湿度か否かが判定される（Ｓ１１１）。
【００３１】
そして、温湿度センサ１６Ａにより計測される湿度が所定の変化率を超えて上昇した湿度と判定された場合、ステップＳ１２１では、温湿度センサ１６Ａにより測定される湿度と、温湿度センサ１７により測定される湿度との大小関係が判定される（Ｓ１２１）。そして、温湿度センサ１７により測定される湿度が、温湿度センサ１６Ａによって測定される湿度よりも低い場合、ステップＳ１２２では、図５に示されるように、ファン７Ａの羽根８Ａは、開口１０Ａから外気を吸い込むような方向に回転される（Ｓ１２２）。一方、温湿度センサ１７により測定される湿度が、温湿度センサ１６Ａによって測定される湿度よりも低くない場合、ステップＳ１２３では、図３に示されるように、ファン７Ａの羽根８Ａは、開口１１Ａから外気を吸い込むような方向に回転される（Ｓ１２３）。
【００３２】
（作用効果）
上記のようなＨＭＤ１によれば、基板５Ａ、５Ｂ又は基板実装部品６Ａ、６Ｂから熱が発せられる場合であっても、ファン７Ａ、７Ｂが動作することにより生成される気流によって当該熱が系外へ排出される。
【００３３】
また、上記のようなＨＭＤ１によれば、動作例１の場合であって、ステップＳ１０１において外気温度が所定の変化率を超えて低下した温度であると判定された場合、ステップＳ１０３あるいはステップＳ１０４において、図３に示されるように開口１１Ａから外気を吸い込むようにファン７Ａが動作することになる。そして、外気は開口９Ｂからファン７Ａに吸い込まれ、基板５Ａ及び基板実装部品６Ａが設けられる場所の近傍に位置する開口９Ａから吹き出される。よって、基板５Ａ又は基板実装部品６Ａが熱を発する場合、当該熱を移動させる効率は向上する。また、当該熱を含んだ気流は、第一通気路１２Ａ及び第二通気路１４Ａへ流入する。よって、第一通気路１２Ａを形成するグラス部３の内表面１３Ａの温度及び第二通気路１４Ａを形成するグラス部３の内表面１５Ａの温度が、低下することは抑制される。よって、内表面１３Ａ及び内表面１５Ａの近傍の空間に存在する水分子が凝集し、内表面１３Ａ及び内表面１５Ａが曇ることは防止される。つまり、ユーザがＨＭＤ１を装着した状態で移動した場合に、環境の変化によって外気温度が所定の変化率を超えて低下した場合であっても、グラス部３が曇ることは防止される。
【００３４】
また、上記のようなＨＭＤ１によれば、動作例２又は３の場合であって、ステップＳ１１１において、温湿度センサ１６Ａにより計測される湿度が所定の変化率を超えて上昇した湿度と判定された場合、ステップＳ１１３あるいはステップＳ１１４において、図５に示されるようにファン７Ａが開口１０Ａから外気を吸い込むように回転させる。このようにファン７Ａを回転させることにより、第一通気路１２Ａ及び第二通気路１４Ａの湿度は低下する。よって、第一通気路１２Ａを形成する内表面１３Ａ、及び第二通気路１４Ａを形成する内表面１５Ａが曇ることは防止される。また、開口１０Ａから吸い込まれた外気は、基板５Ａ及び基板実装部品６Ａの近傍を通過し、開口１１Ａから系外へ流出する。よって、上記のようなＨＭＤ１によれば、基板５Ａ又は基板実装部品６Ａが熱を発する場合に、当該熱を開口１１Ａから系外へ排出可能となる。
【００３５】
また、上記のようなＨＭＤ１によれば、動作例４の場合であって、温湿度センサ１７に
より測定される湿度が、温湿度センサ１６Ａによって測定される湿度よりも低い場合、ステップＳ１２２として、ファン７Ａの羽根８Ａは、開口１０Ａから外気を吸い込むような方向に回転される（図５）。このようにファン７Ａを動作させることにより、第一通気路１２Ａ及び第二通気路１４Ａの湿度は低下する。よって、第一通気路１２Ａを形成する内表面１３Ａ、及び第二通気路１４Ａを形成する内表面１５Ａが曇ることは防止される。また、このような動作例４は、外気の湿度が低い場合に、開口１０Ａから空気を取り込み、透過型液晶画面２Ａが配置される空間の温度を下げることを優先していることになる。
【００３６】
一方、温湿度センサ１７により測定される湿度が、温湿度センサ１６Ａによって測定される湿度よりも低くない場合、ステップＳ１２３では、図３に示されるように、ファン７Ａの羽根８Ａは、開口１１Ａから外気を吸い込むような方向に回転される。そして、外気は開口９Ｂからファン７Ａに吸い込まれ、開口９Ａから吹き出される。よって、吹き出された気流は、基板５Ａ又は基板実装部品６Ａが熱を発する場合に、当該熱を含むこととなる。また、当該熱を含んだ気流は、第一通気路１２Ａ及び第二通気路１４Ａへ流入する。よって、第一通気路１２Ａを形成するグラス部３の内表面１３Ａの温度、及び第二通気路１４Ａを形成するグラス部３の内表面１５Ａの温度が低下することは抑制される。よって、内表面１３Ａ及び内表面１５Ａの近傍の空間に存在する水分子が凝集することにより、内表面１３Ａ及び内表面１５Ａが曇ることは防止される。
【００３７】
（変形例１）
図８は、ＨＭＤ１Ａの概要の一例を模式的に例示する。図８（Ａ）は、ＨＭＤ１Ａの正面図の概要の一例である。また、図８（Ｂ）は、ＨＭＤ１Ａの断面図の概要の一例を示している。図８に示されるように、ＨＭＤ１Ａは、中央上部に１つの基板５Ｃと、基板５Ｃの実装面に実装される基板実装部品６Ｃを備える。また、ＨＭＤ１Ａは、ファン７Ｃを備え、ファン７Ｃは、基板実装部品６Ｃの上部に設けられる。ファン７Ｃは、基板５Ｃの実装面と垂直な方向の周りに回転する羽根８Ｃを備える。また、ファン７Ｃは、基板５Ｃの実装面と垂直な方向に羽根８Ｃを挟むように設けられる開口９Ｅ、９Ｆを備える。
【００３８】
また、ＨＭＤ１Ａは、透過型液晶画面２Ａの下部に開口１０Ｃ、透過型液晶画面２Ｂの下部に開口１０Ｄを備える。そして、ＨＭＤ１Ａは、透過型液晶画面２Ａの下部から開口１０Ｃの内部まで延伸し、開口１０Ｃを開口１０ＣＡと開口１０ＣＢとに仕切る仕切板１８Ａを備える。同様にして、ＨＭＤ１Ａは、透過型液晶画面２Ｂの下部から開口１０Ｄの内部まで延伸し、開口１０Ｄを開口１０ＤＡと開口１０ＤＢとに仕切る仕切板１８Ｂを備える。ここで、開口１０ＣＡは第一通気路１２Ａと、開口１０ＣＢは第二通気路１４Ａと夫々連通する。同様にして、開口１０ＤＡは第一通気路１２Ｂと、開口１０ＤＢは第二通気路１４Ｂと夫々連通する。ただし、図８（Ｂ）では、透過型液晶画面２Ａ側の断面図の概要を例示している。
【００３９】
また、ＨＭＤ１Ａでは、第一通気路１２Ａ、１２Ｂは、ファン７Ｃの開口９Ｅと連通する。一方、第二通気路１４Ａ、１４Ｂは、ファン７Ｃの開口９Ｆと連通する。そして、ＨＭＤ１Ａは、第一通気路１２Ａ、１２Ｂと、第二通気路１４Ａ、１４Ｂとを仕切る仕切板１９Ａ、１９Ｂを備える。ここで、開口９Ｅは、本発明の「冷却ファンの吸込み面」の一例である。また、開口９Ｆは、本発明の「第一通気路が連通する冷却ファンの吸込み面とは異なる冷却ファンの吹出し面」の一例である。
【００４０】
（動作例１）
図８に示されるように、ファン７Ｃの羽根８Ｃは、開口１０ＣＡ、１０ＤＡから外気を吸い込むような方向に回転される。そして、吸込まれた外気は、第一通気路１２Ａ、１２Ｂを通過し、基板５Ｃに実装される基板実装部品６Ａの近傍に達する。そして、外気は、ファン７Ｃの開口９Ｅに吸込まれる。その後外気は、ファン７Ｃの開口９Ｆから夫々吹き
出される。そして、外気は、第二通気路１４Ａ、１４Ｂを夫々通過し、開口１０ＣＢ、１０ＤＢを介して外部へ排出される。
【００４１】
（動作例２）
また、図９は、ファン７Ｃの別の動作の概要の一例を示している。図９に示される動作例では、ファン７Ｃの羽根８Ｃは、動作例１とは逆の方向へ回転し、開口１０ＣＢ、１０ＤＢから外気を吸い込むような方向に回転される。そして、吸込まれた外気は、第二通気路１４Ａ、１４Ｂを通過し、ファン７Ｃの開口９Fからファン７Ｃの内部へ吸込まれる。
そして、外気は、ファン７Ｃの開口９Ｅから吹出され、基板５Ｃに実装される基板実装部品６Ｃの近傍に達する。そして、外気は、第一通気路１２Ａ、１２Ｂを通過し、開口１０ＣＡ、１０ＤＡを介して外部へ排出される。
【００４２】
（作用効果）
上記のようなＨＭＤ１Ａによれば、基板５Ｃ又は基板実装部品６Ｃから熱が発せられる場合であっても、ファン７Ｃが動作することにより生成される気流によって当該熱が系外へ排出される。また、上記のようなＨＭＤ１Ａによれば、外気の湿度が低い場合に、動作例１のようにファン７Ｃの羽根８Ｃが開口１０ＣＡ、１０ＤＡから外気を吸い込むような方向に回転させられる。このようにファン７Ｃを動作させることにより、第一通気路１２Ａの湿度は低下する。よって、第一通気路１２Ａを形成するグラス部３の内表面１３Ａが曇ることは防止される。又、同様にして、第一通気路１２Ｂの湿度は低下するため、第一通気路１２Ｂを形成するグラス部３の内表面１３Ｂが曇ることは防止される。
【００４３】
また、上記のようなＨＭＤ１Ａによれば、外気の湿度が低い場合に、動作例２のようにファン７Ｃの羽根８Ｃが開口１０ＣＢ、１０ＤＢから外気を吸い込むように回転させられる。このようにファン７Ｃを動作させることにより、第二通気路１４Ａの湿度は低下する。よって、第二通気路１４Ａを形成するグラス部３の内表面１５Ａが曇ることは防止される。又、同様にして、第二通気路１４Ｂの湿度は低下するため、第二通気路１４Ｂを形成するグラス部３の内表面１５Ｂが曇ることは防止される。
【００４４】
また、ファン７Ｃへ吸い込まれた外気は、基板５Ｃまたは基板実装部品６Ｃが熱を発する場合に、当該熱を含んだ状態で、第一通気路１２Ａへ流入する。よって、第一通気路１２Ａを形成する内表面１３Ａの温度は上昇する。よって、グラス部３のユーザの目と接する外表面の温度は、内表面１３Ａの熱が伝わることにより上昇する。よって、当該外表面が曇ることは防止される。
【００４５】
（変形例２）
図１０は、ＨＭＤ１Ｂの断面図の概要の一例を模式的に例示する。図１０に示されるように、ＨＭＤ１Ｂは、ＨＭＤ１の構造に加えて、筐体４に開口２０を備える。また、ＨＭＤ１Ｂは、第三通気路２１を備える。第三通気路２１は、グラス部３の外表面２２と、ユーザの目との間に形成される隙間を含む。また、第三通気路２１は、開口２０を介してファン７Ａが設置される場所と連通する。そして、ＨＭＤ１Ｂは、図３に示されるようなＨＭＤ１の気流の流れに加えて、基板５Ａ又は基板実装部品６Ａの近傍を通過した外気が、開口２０を介して第三通気路２１へ流れ込む。ここで、開口２０は、本発明の「開口」の一例である。
【００４６】
（作用効果）
上記のようなＨＭＤ１Ｂによれば、ＨＭＤ１が奏する効果に加えて、基板５Ａ又は基板実装部品６Ａが熱を発する場合に、当該熱は気流に含まれ、気流は、第一通気路１２Ａの他に第三通気路２１へも流入し得る。よって、第一通気路１２Ａの温度と第三通気路２１の温度との温度差は小さくなる。よって、第一通気路１２Ａを形成する内表面１３Ａの温
度と、第三通気路を形成する外表面２２の温度との温度差は小さくなる。よって、内表面１３Ａ及び外表面２２が曇ることは防止される。
【００４７】
（変形例３）
図１１は、ＨＭＤ１Ｃの断面図の概要の一例を模式的に例示する。図１１に示されるように、ＨＭＤ１Ｃは、ＨＭＤ１Ａの構造に加えて、筐体４に開口２０Ａを備える。また、ＨＭＤ１Ｃは、第三通気路２１Ａを備える。第三通気路２１Ａは、グラス部３Ａの外表面２２と、ユーザの目との間に形成される隙間を含む。また、第三通気路２１Ａは、開口２０Ａを介してファン７Ｃが設置される場所と連通する。
【００４８】
また、ＨＭＤ１Ｃは、図９に示されるようなＨＭＤ１Ａの気流の流れに加えて、基板５Ｃ又は基板実装部品６Ｃの近傍を通過した外気が、開口２０Ａを介して第三通気路２１Ａへ流れ込む。
【００４９】
（作用効果）
上記のようなＨＭＤ１Ｃによれば、ＨＭＤ１Ａが奏する効果に加えて、基板５Ｃ又は基板実装部品６Ｃが熱を発した場合に、当該熱は気流に含まれ、気流は、第一通気路１２Ａの他に第三通気路２１Ａへも流入し得る。よって、第一通気路１２Ａの温度と第三通気路２１Ａの温度との温度差は小さくなる。よって、第一通気路１２Ａを形成する内表面１３Ａの温度と、第三通気路２１Ａを形成する外表面２２の温度との温度差は小さくなる。よって、内表面１３Ａ及び外表面２２が曇ることは防止される。
【００５０】
（変形例４）
図１２は、ＨＭＤ１Ｄの断面図の概要の一例を模式的に例示する。図１２に示されるように、ＨＭＤ１Ｄは、ＨＭＤ１Ｂの構造に加えて、透過型液晶画面２Ａが配置される空間と、基板５Ａ及び基板実装部品６Ａが配置される空間と、を仕切る仕切板２３を備える。また、ＨＭＤ１Ｄでは、ＨＭＤ１Ｂと異なり、開口１０Ａが設けられていない。すなわち、ＨＭＤ１Ｄでは、透過型液晶画面２Ａが配置される空間は密閉される。ここで、仕切板２３は、本発明の「仕切り部材」の一例である。
【００５１】
（作用効果）
上記のようなＨＭＤ１Ｄによれば、ファン７Ａが動作することにより、基板５Ａ又は基板実装部品６Ａが熱を発する場合であっても、開口２０を介して当該熱を第三通気路２１へ排出することができる。又、第三通気路２１を気流が通過することにより、第三通気路２１の湿度を低下させることができる。よって、ユーザの目と接するグラス部３の部分が曇ることは防止される。
【００５２】
また、透過型液晶画面２Ａが配置される空間は、仕切板２３によって基板５Ａ及び基板実装部品６Ａが配置される空間と仕切られている。よって、開口１１Ａから吸い込まれた外気の湿度が高い場合であっても、当該外気が透過型液晶画面２Ａが配置される空間へ流入することは抑制される。よって、透過型液晶画面２Ａが曇ることは防止される。
【００５３】
（変形例５）
図１３は、ＨＭＤ１Ｅの断面図の概要の一例を模式的に例示する。図１３に示されるように、ＨＭＤ１Ｅは、ＨＭＤ１Ｃの構造に加えて、透過型液晶画面２Ａが配置される空間と、基板５Ｃ及び基板実装部品６Ｃが配置される空間と、を仕切る仕切板２３Ａを備える。また、ＨＭＤ１Ｅでは、ＨＭＤ１Ｃと異なり、開口１０Ｃ及び仕切板１８Ａが設けられていない。ＨＭＤ１Ｅは、基板５Ｃ及び基板実装部品６Ｃが配置される空間の、ファン７Ｃの上部の筐体４に開口１０Ｅを備える。すなわち、ＨＭＤ１Ｅでは、透過型液晶画面２Ａが配置される空間は密閉される。
【００５４】
（作用効果）
上記のようなＨＭＤ１Ｅによっても、ＨＭＤ１Ｄと同様の効果を奏することができる。また、ＨＭＤ１Ｅでは、ファン７Ｃが基板実装部品６Ｃの直上に設けられるため、基板５Ｃまたは基板実装部品６Ｃが熱を発する場合であっても、当該熱を効果的に排出させることができる。
【００５５】
（その他の実施形態）
ファン７Ａ、７Ｂの羽根８Ａ、８Ｂの回転数は、温湿度センサ１６Ａ、１６Ｂ、及び温湿度センサ１７により測定される測定結果に関係なく、調節されてもよい。また、ファン７Ａ、７Ｂの羽根８Ａ、８Ｂの回転する方向も、温湿度センサ１６Ａ、１６Ｂ、及び温湿度センサ１７により測定される測定結果に関係なく、決定されてもよい。
【００５６】
以上で開示した実施形態や変形例はそれぞれ組み合わせる事ができる。
【符号の説明】
【００５７】
１、１Ａ、１Ｂ、１Ｃ、１Ｄ、１Ｅ        ：ＨＭＤ
２Ａ、２Ｂ      ：透過型液晶画面
３        ：グラス部
４        ：筐体
５Ａ、５Ｂ、５Ｃ      ：基板
６Ａ、６Ｂ，６Ｃ      ：基板実装部品
７Ａ、７Ｂ、７Ｃ      ：ファン
８Ａ、８Ｂ、８Ｃ      ：羽根
９Ａ、９Ｂ、９Ｃ、９Ｄ、９Ｅ、９Ｆ      ：開口
１０Ａ、１０Ｂ、１０Ｃ、１０ＣＡ、１０ＣＢ、１０Ｄ、１０ＤＡ、１０ＤＢ、１０Ｅ  
：開口
１１Ａ、１１Ｂ    ：開口
１２Ａ、１２Ｂ    ：第一通気路
１３Ａ、１３Ｂ    ：内表面
１４Ａ、１４Ｂ    ：第二通気路
１５Ａ、１５Ｂ    ：内表面
１６Ａ、１６Ｂ    ：温湿度センサ
１７      ：温湿度センサ
１８Ａ、１８Ｂ    ：仕切板
１９Ａ、１９Ｂ    ：仕切板
２０、２０Ａ      ：開口
２１、２１Ａ      ：第三通気路
２２      ：外表面
２３、２３Ａ      ：仕切板
３０      ：つる
【図１】
2020191500.tif 000003
【図２】
2020191500.tif 000004
【図３】
2020191500.tif 000005
【図４】
2020191500.tif 000006
【図５】
2020191500.tif 000007
【図６】
2020191500.tif 000008
【図７】
2020191500.tif 000009
【図８】
2020191500.tif 000010
【図９】
2020191500.tif 000011
【図１０】
2020191500.tif 000012
【図１１】
2020191500.tif 000013
【図１２】
2020191500.tif 000014
【図１３】
2020191500.tif 000015